(57)【要約】      （修正有）【課題】揺れの激しい輸送中や携行中、長期間の保存中などにおいても、容器本体と蓋との密着度が緩くなることがなく、密閉状態が損なわれてしまうことのない密閉容器を提供する。【解決手段】容器本体１の嵌合リブ３の上周壁３ａの外面を、長さ方向にわたって平坦面とし、蓋２の嵌合溝４の上周壁４ａの内面を、前記蓋２の嵌合溝４の外周壁４ｂにおける対向位置にそれぞれ設けた操作片５どうしの間に位置する対向した領域Ｓａのそれぞれの中間点が最も前記上周壁３ａの外面に近づくようにして、これらの対向した領域Ｓａを長さ方向にわたって湾曲させた湾曲面とし、さらに前記嵌合溝４の上周壁４ａの内面の領域Ｓａ以外の領域を、長さ方向にわたって平坦面とし、前記容器本体１と蓋２との嵌合状態において、容器本体１の嵌合リブ３の上周壁３ａの外面を、蓋２の嵌合溝４の上周壁４ａの内面の湾曲面が弾性変形した状態で押さえ付けるようにしている。【選択図】図３
0003164789.tif 000002
【実用新案登録請求の範囲】
【請求項１】
容器本体（１）と蓋（２）からなり、容器本体（１）の上端全周にわたって嵌合リブ（３）を設け、蓋（２）の下面に前記嵌合リブ（３）と嵌合する嵌合溝（４）を設け、前記蓋（２）の嵌合溝（４）の外周壁（４ｂ）における対向位置にそれぞれ操作片（５）を設け、これら操作片（５）のそれぞれに係合突起（６）を設けたものとし、前記容器本体（１）に蓋（２）を被せ、前記操作片（５）の係合突起（６）を前記嵌合リブ（３）の外周壁（３ｂ）における対向端部に係合させたときに、前記嵌合リブ（３）の上周壁（３ａ）に前記嵌合溝（４）の上周壁（４ａ）が密着するようにして、容器本体（１）と蓋（２）とが嵌合するようにしており、前記嵌合リブ（３）の上周壁（３ａ）の外面を、長さ方向にわたって平坦面とし、前記嵌合溝（４）の上周壁（４ａ）の内面を、前記操作片（５）どうしの間に位置する対向した領域（Ｓａ）のそれぞれの中間点が最も前記上周壁（３ａ）の外面に近づくようにして、これらの対向した領域（Ｓａ）を長さ方向にわたって湾曲させた湾曲面とし、さらに前記嵌合溝（４）の上周壁（４ａ）の内面の領域（Ｓａ）以外の領域（Ｓｂ）を、長さ方向にわたって平坦面とし、前記容器本体（１）と蓋（２）との嵌合状態において、容器本体（１）の嵌合リブ（３）の上周壁（３ａ）の外面を、蓋（２）の嵌合溝（４）の上周壁（４ａ）の内面の湾曲面が弾性変形した状態で押さえ付けるようにしたことを特徴とする密閉容器。
【請求項２】
容器本体（１）と蓋（２）からなり、容器本体（１）の上端全周にわたって嵌合リブ（３）を設け、蓋（２）の下面に前記嵌合リブ（３）と嵌合する嵌合溝（４）を設け、前記蓋（２）の嵌合溝（４）の外周壁（４ｂ）における対向位置にそれぞれ操作片（５）を設け、これら操作片（５）のそれぞれに係合突起（６）を設けたものとし、前記容器本体（１）に蓋（２）を被せ、前記操作片（５）の係合突起（６）を前記嵌合リブ（３）の外周壁（３ｂ）における対向端部に係合させたときに、前記嵌合リブ（３）の上周壁（３ａ）に前記嵌合溝（４）の上周壁（４ａ）が密着するようにして、容器本体（１）と蓋（２）とが嵌合するようにしており、前記嵌合リブ（３）の上周壁（３ａ）の外面を、長さ方向にわたって平坦面とし、前記嵌合溝（４）の上周壁（４ａ）の内面を、前記操作片（５）どうしの間に位置する対向した領域（Ｓａ）のそれぞれの中間点が最も前記上周壁（３ａ）の外面に近づくようにして、これらの対向した領域（Ｓａ）を長さ方向にわたって湾曲させた湾曲面とし、さらに前記嵌合溝（４）の上周壁（４ａ）の内面の領域（Ｓａ）以外の領域（Ｓｂ）を、それぞれの中間点が最も前記上周壁（３ａ）の外面から離れるようにして、長さ方向にわたって湾曲させた湾曲面とし、前記容器本体（１）と蓋（２）との嵌合状態において、容器本体（１）の嵌合リブ（３）の上周壁（３ａ）の外面を、蓋（２）の嵌合溝（４）の上周壁（４ａ）の内面の湾曲面が弾性変形した状態で押さえ付けるようにしたことを特徴とする密閉容器。
【請求項３】
前記容器本体（１）と蓋（２）を平面的に見たときの前記嵌合リブ（３）と嵌合溝（４）の形状を長方形とし、この長方形の短辺部分の中央に前記操作片（５）をそれぞれ設け、前記嵌合溝（４）の長方形の短辺部分を領域（Ｓｂ）とし、前記嵌合溝（４）の長方形の長辺部分を領域（Ｓａ）としたことを特徴とする請求項１または２記載の密閉容器。
【請求項４】
前記容器本体（１）と蓋（２）を平面的に見たときの前記嵌合リブ（３）と嵌合溝（４）の形状を円形とし、この円形の対向する位置に前記操作片（５）をそれぞれ設け、この操作片（５）を中央位置にする嵌合溝（４）の四分円の円周部分を領域（Ｓｂ）とし、この領域（Ｓｂ）以外の嵌合溝（４）の円周部分を領域（Ｓａ）としたことを特徴とする請求項１または２記載の密閉容器。
【考案の詳細な説明】
【技術分野】
【０００１】
この考案は、飲食品を収納し、冷蔵庫内などで保存したり、飲食品を収納したまま携行するのに好適な密閉容器に関するものである。
【背景技術】
【０００２】
従来、この種の密閉容器としては、例えば図１３、１４に示したように、容器本体１１と蓋１２から構成され、蓋１２の周縁部には、容器本体１１の口縁部１３に形成された上周壁１４又は上周壁１４の下方に形成された内周壁１５の少なくとも一方と気密的に嵌合可能とした嵌合溝１６が形成されたものが存在している。
【０００３】
前記蓋１２の嵌合溝１６には、容器本体１１の上周壁１４および内周壁１５にそれぞれ密着する上周壁１７および内周壁１８が形成され、この嵌合溝１６に続く内方の平坦部１９には、加圧によって弾性的に凹入変形し、蓋１２全体を弾性的に湾曲変形させる加圧押圧部２０が形成されたものとしている（特許文献１）。
【０００４】
以上のように構成された従来の密閉容器は、蓋１２の加圧押圧部２０を加圧することにより容易に蓋をし、容器内を密閉状態にすることができ、その気密性も極めて良好であるので、水分を含む食品等を包装しても、輸送中や、保存中などにも収納品が容器外にでる虞れがないとしている。
【先行技術文献】
【特許文献】
【０００５】
【特許文献１】実開平１−１７９８５０号公報
【考案の概要】
【考案が解決しようとする課題】
【０００６】
しかしながら、上記従来の密閉容器では、容器本体１１の口縁部１３の上周壁１４と、蓋１２の周縁部の嵌合溝１６の上周壁１７とはそれぞれ平坦面としているため、蓋１２の周縁部を容器本体１１の口縁部１３に押さえ付け、蓋１２の加圧押圧部２０を加圧することにより容器本体１１に蓋をすると、前記上周壁１４と上周壁１７とは平坦面どうしが密着するので、密着度は少しは強化されているものの、未だその密着度は全体的に弱いという問題点を有していた。
【０００７】
さらに、上記従来の密閉容器では、容器本体１１の口縁部１３に蓋１２の嵌合溝１６を単に嵌合させているだけであるので、加圧によって、弾性的に凹入変形させた加圧押圧部２０が元の状態に戻ると、揺れの激しい輸送中や携行中、長期間の保存中などにおいては、徐々にその密着度も緩くなり密閉状態が損なわれてしまうことがあるという問題点を有してした。
【０００８】
そこで、この考案は、簡単な操作により容器本体と蓋との密着度を強化させて、揺れの激しい輸送中や携行中、長期間の保存中などにおいても、その密着度が緩くなることがなく、密閉状態が損なわれてしまうことのない密閉容器を提供することを目的としてなされたものである。
【課題を解決するための手段】
【０００９】
そのため、この考案の密閉容器は、容器本体１と蓋２からなり、容器本体１の上端全周にわたって嵌合リブ３を設け、蓋２の下面に前記嵌合リブ３と嵌合する嵌合溝４を設け、前記蓋２の嵌合溝４の外周壁４ｂにおける対向位置にそれぞれ操作片５を設け、これら操作片５のそれぞれに係合突起６を設けたものとし、前記容器本体１に蓋２を被せ、前記操作片５の係合突起６を前記嵌合リブ３の外周壁３ｂにおける対向端部に係合させたときに、前記嵌合リブ３の上周壁３ａに前記嵌合溝４の上周壁４ａが密着するようにして、容器本体１と蓋２とが嵌合するようにしており、前記嵌合リブ３の上周壁３ａの外面を、長さ方向にわたって平坦面とし、前記嵌合溝４の上周壁４ａの内面を、前記操作片５どうしの間に位置する対向した領域Ｓａのそれぞれの中間点が最も前記上周壁３ａの外面に近づくようにして、これらの対向した領域Ｓａを長さ方向にわたって湾曲させた湾曲面とし、さらに前記嵌合溝４の上周壁４ａの内面の領域Ｓａ以外の領域Ｓｂを、長さ方向にわたって平坦面とし、前記容器本体１と蓋２との嵌合状態において、容器本体１の嵌合リブ３の上周壁３ａの外面を、蓋２の嵌合溝４の上周壁４ａの内面の湾曲面が弾性変形した状態で押さえ付けるようにしている。
【００１０】
また、この考案の密閉容器は、容器本体１と蓋２からなり、容器本体１の上端全周にわたって嵌合リブ３を設け、蓋２の下面に前記嵌合リブ３と嵌合する嵌合溝４を設け、前記蓋２の嵌合溝４の外周壁４ｂにおける対向位置にそれぞれ操作片５を設け、これら操作片５のそれぞれに係合突起６を設けたものとし、前記容器本体１に蓋２を被せ、前記操作片５の係合突起６を前記嵌合リブ３の外周壁３ｂにおける対向端部に係合させたときに、前記嵌合リブ３の上周壁３ａに前記嵌合溝４の上周壁４ａが密着するようにして、容器本体１と蓋２とが嵌合するようにしており、前記嵌合リブ３の上周壁３ａの外面を、長さ方向にわたって平坦面とし、前記嵌合溝４の上周壁４ａの内面を、前記操作片５どうしの間に位置する対向した領域Ｓａのそれぞれの中間点が最も前記上周壁３ａの外面に近づくようにして、これらの対向した領域Ｓａを長さ方向にわたって湾曲させた湾曲面とし、さらに前記嵌合溝４の上周壁４ａの内面の領域Ｓａ以外の領域Ｓｂを、それぞれの中間点が最も前記上周壁３ａの外面から離れるようにして、長さ方向にわたって湾曲させた湾曲面とし、前記容器本体１と蓋２との嵌合状態において、容器本体１の嵌合リブ３の上周壁３ａの外面を、蓋２の嵌合溝４の上周壁４ａの内面の湾曲面が弾性変形した状態で押さえ付けるようにしている。
【００１１】
そして、この考案の密閉容器は、前記容器本体１と蓋２を平面的に見たときの前記嵌合リブ３と嵌合溝４の形状を長方形とし、この長方形の短辺部分の中央に前記操作片５をそれぞれ設け、前記嵌合溝４の長方形の短辺部分を領域Ｓｂとし、前記嵌合溝４の長方形の長辺部分を領域Ｓａとしている。
【００１２】
さらに、この考案の密閉容器は、前記容器本体１と蓋２を平面的に見たときの前記嵌合リブ３と嵌合溝４の形状を円形とし、この円形の対向する位置に前記操作片５をそれぞれ設け、この操作片５を中央位置にする嵌合溝４の四分円の円周部分を領域Ｓｂとし、この領域Ｓｂ以外の嵌合溝４の円周部分を領域Ｓａとしている。
【考案の効果】
【００１３】
この考案の密閉容器は、以上に述べたように構成されているので、揺れの激しい輸送中や携行中、長期間の保存中などにおいても、容器本体と蓋との密着度が緩くなることがなく、密閉状態が損なわれてしまうことのないものとなった。
【図面の簡単な説明】
【００１４】
【図１】この考案の密閉容器の一実施形態を示す容器本体と蓋の斜視図である。
【図２】図１に示すこの考案の密閉容器の平面図である。
【図３】図２中のＡーＡ線によるこの考案の密閉容器の断面図である。
【図４】図２中のＢ−Ｂ線によるこの考案の密閉容器の断面図である。
【図５】図１に示すこの考案の密閉容器が密閉される途中の状態を示しており、（ａ）はその正面図であり、（ｂ）はその側面図である。
【図６】図１に示すこの考案の密閉容器が完全に密閉された状態を示しており、（ａ）はその正面図であり、（ｂ）はその側面図である。
【図７】この考案の密閉容器の他の実施形態を示す容器本体と蓋の斜視図である。
【図８】図７に示すこの考案の密閉容器の平面図である。
【図９】図８中のＣーＣ線によるこの考案の密閉容器の断面図である。
【図１０】図８中のＤ−Ｄ線によるこの考案の密閉容器の断面図である。
【図１１】図７に示すこの考案の密閉容器が密閉される途中の状態を示しており、（ａ）はその正面図であり、（ｂ）はその側面図である。
【図１２】図７に示すこの考案の密閉容器が完全に密閉された状態を示しており、（ａ）はその正面図であり、（ｂ）はその側面図である。
【図１３】従来の密閉容器の斜視図である。
【図１４】図１３に示す従来の密閉容器の断面図である。
【考案を実施するための形態】
【００１５】
以下、この考案の密閉容器を実施するための形態を、図面に基づいて詳細に説明する。
【００１６】
この考案の密閉容器は、図１〜４に示した一実施形態のように、平面的に見たときにそれぞれ長方形とした容器本体１と蓋２からなるものとしたり、図７〜１０に示した他の実施形態のように、平面的に見たときにそれぞれ円形とした容器本体１と蓋２からなるものとしている。なお、容器本体１と蓋２は、それぞれ弾性変形可能な合成樹脂からなるものとするか、少なくとも蓋２は弾性変形可能な合成樹脂からなるものとしている。
【００１７】
容器本体１には、上端全周にわたって嵌合リブ３を設け、蓋２には、下面にその嵌合リブ３と嵌合する嵌合溝４を設けたものとしている。嵌合リブ３は、上周壁３ａ、外周壁３ｂ及び内周壁３ｃから形成され、嵌合溝４は、上周壁４ａ、外周壁４ｂ及び内周壁４ｃから形成されている。
【００１８】
蓋２は、嵌合溝４の外周壁４ｂにおける対向位置にそれぞれ操作片５を設け、これら操作片５のそれぞれの内面に係合突起６を設けたものとしている。
【００１９】
そして、前記容器本体１に蓋２を被せ、前記操作片５の係合突起６を前記嵌合リブ３の外周壁３ｂにおける対向端部に係合させたときに、前記嵌合リブ３の上周壁３ａに前記嵌合溝４の上周壁４ａが密着するようにして、容器本体１と蓋２とが嵌合するようにしている。
【００２０】
前記嵌合リブ３の上周壁３ａの外面は、長さ方向にわたって全周を平坦面としており、嵌合溝４の上周壁４ａの内面は、対向した操作片５どうしの間に位置する対向した領域Ｓａのそれぞれの中間点が最も前記上周壁３ａの外面に近づくようにして、これらの対向した領域Ｓａを長さ方向にわたって湾曲させた湾曲面としている。さらに、前記嵌合溝４の上周壁４ａの内面の領域Ｓａ以外の領域Ｓｂは、それぞれの中間点が最も前記上周壁３ａの外面から離れるようにして、長さ方向にわたって湾曲させた湾曲面としている。なお、前記領域Ｓｂは、長さ方向にわたって平坦面としてもよい。
【００２１】
そして、この考案の密閉容器は、前記容器本体１と蓋２との嵌合状態において、容器本体１の嵌合リブ３の上周壁３ａの外面を、蓋２の嵌合溝４の上周壁４ａの内面の湾曲面が弾性変形した状態で押さえ付けるようにしている。
【００２２】
図１〜４に示したように、容器本体１と蓋２を長方形とした場合には、平面的に見たときの前記嵌合リブ３と嵌合溝４の形状を長方形とし、この長方形の短辺部分の中央に前記操作片５をそれぞれ設け、前記嵌合溝４の長方形の短辺部分を領域Ｓｂとし、前記嵌合溝４の長方形の長辺部分を領域Ｓａとすることができる。
【００２３】
さらに、図７〜１０に示したように、容器本体１と蓋２を円形とした場合には、平面的に見たときの前記嵌合リブ３と嵌合溝４の形状を円形とし、この円形の対向する位置に前記操作片５をそれぞれ設け、この操作片５を中央位置にする嵌合溝４の四分円の円周部分を領域Ｓｂとし、この領域Ｓｂ以外の嵌合溝４の円周部分を領域Ｓａとすることができる。
【００２４】
また、図示していないが  容器本体１と蓋２を正方形とすることもでき、この場合には、平面的に見たときの前記嵌合リブ３と嵌合溝４の形状を正方形とし、この正方形の対向する一組の二辺の中央に前記操作片５をそれぞれ設け、この一組の二辺を前記領域Ｓｂとし、前記正方形の対向するもう一組の二辺を前記領域Ｓａとすることができる。
【００２５】
なお、容器本体１と蓋２は、長方形や正方形以外の多角形にしたり、楕円形などにすることができ、前記嵌合リブ３と嵌合溝４もこれらの形状に応じた形状とすることができ、前記操作片５を設ける位置や、前記領域Ｓａ、Ｓｂも、前記嵌合リブ３と嵌合溝４の形状に応じたものにすることができる。
【００２６】
以上のように構成されたこの考案の密閉容器は、容器本体１と蓋２とを次のようにして密閉状態にすることができる。
【００２７】
図１〜４に示したこの考案の密閉容器では、容器本体１内に飲食品を収納し、図５（ａ）（ｂ）に示したようにして、図７〜１０に示したこの考案の密閉容器では、容器本体１内に飲食品を収納し、図１１（ａ）（ｂ）に示したようにして、蓋２の上周壁４ａの領域Ｓａの中間点およびこの中間点近辺を、容器本体１の上周壁３ａに密着させるようにして押さえ付け、容器本体１に蓋２を被せる。なお、この状態では、蓋２の上周壁４ａの領域Ｓａの両端およびこの両端近辺は、容器本体１の上周壁３ａに密着せず隙間ができるため、そのまま電子レンジにかけても、飲食品から発生する蒸気を逃がすことができ、飲食品を問題なく温めることができる。
【００２８】
次に、蓋２の上周壁４ａの領域Ｓｂの中央を、容器本体１の上周壁３ａに密着させるようにして押さえ付け、蓋２の操作片５の係合突起６を、図６（ａ）（ｂ）および図１２（ａ）（ｂ）に示したように、容器本体１の嵌合リブ３の外周壁３ｂにおける対向端部にそれぞれ係合させる。
【００２９】
すると、蓋２の嵌合溝４の上周壁４ａの領域Ｓａは、弾性変形してその中間点およびこの中間点近辺が、容器本体１の嵌合リブ３の上周壁３ａの外面に強く密着すると共に、前記領域Ｓａの両端およびこの両端近辺が、前記操作片５の係合突起６と嵌合リブ３の外周壁３ｂとの係合によって、容器本体１の嵌合リブ３の上周壁３ａ側に弾性変形し、その上周壁３ａの外面に強く密着し、その密着状態が保たれることになる。
【００３０】
さらに、蓋２の嵌合溝４の上周壁４ａの領域Ｓｂは、前記操作片５の係合突起６と嵌合リブ３の外周壁３ｂとの係合によって、容器本体１の嵌合リブ３の上周壁３ａ側に弾性変形し、その上周壁３ａの外面に強く密着し、その密着状態が保たれることになる。
【００３１】
そのため、この考案の密閉容器では、前記操作片５の係合突起６と嵌合リブ３の外周壁３ｂとの係合が外れない限り、容器本体１と蓋２との密着状態が保たれ、密閉状態が損なわれることはない。
【００３２】
しかも、この考案の密閉容器では、前記操作片５の係合突起６と嵌合リブ３の外周壁３ｂとの係合を外せば、蓋２の嵌合溝４の上周壁４ａの領域Ｓａおよび領域Ｓｂがそれぞれ弾性変形して、容器本体１の嵌合リブ３の上周壁３ａから押し上げられるので、容器本体１の嵌合リブ３と蓋２の嵌合溝４との嵌合が容易に解除されることになり、容器本体１から蓋２を取り外し易いものとなる。
【００３３】
さらに、この考案の密閉容器では、パッキンを使用しないでも、密閉度を向上させることができるので、パッキンの汚れによる不潔感がなく清潔に保つことができ、またパッキンを使用しないので低コストなものとなる。
【００３４】
また、この考案の密閉容器では、前記したように操作片５の係合突起６と嵌合リブ３の外周壁３ｂとの係合によって密閉されるので、従来のように蓋２の全体を容器本体１に押さえ付けなくても、蓋２の操作片５を設けた部分を押さえ付けるだけでよいので、密閉操作を簡単に行うことができる。
【００３５】
さらに、この考案の密閉容器では、前記操作片５の係合突起６と嵌合リブ３の外周壁３ｂとの係合を外すだけで密閉状態が解除され、容器本体１から蓋２を簡単に外すことができるので、従来のように蓋２の全体に力をかけて、容器本体１から蓋２を外さなくても良いので、力をかけた勢いで容器本体１内の飲食品をこぼしてしまうようなこともない。
【符号の説明】
【００３６】
１  容器本体
２  蓋
３  嵌合リブ
３ａ  上周壁
３ｂ  外周壁
４  嵌合溝
４ａ  上周壁
４ｂ  外周壁
５  操作片
６  係合突起
Ｓａ  領域
Ｓｂ  領域
【図１】
0003164789.tif 000003
【図２】
0003164789.tif 000004
【図３】
0003164789.tif 000005
【図４】
0003164789.tif 000006
【図５】
0003164789.tif 000007
【図６】
0003164789.tif 000008
【図７】
0003164789.tif 000009
【図８】
0003164789.tif 000010
【図９】
0003164789.tif 000011
【図１０】
0003164789.tif 000012
【図１１】
0003164789.tif 000013
【図１２】
0003164789.tif 000014
【図１３】
0003164789.tif 000015
【図１４】
0003164789.tif 000016